(57)【特許請求の範囲】
【請求項１】
画像表示装置のキャリブレーションを行うキャリブレーション装置であって、
前記画像表示装置に入力されている画像データの階調に関する情報を取得する取得手段と、
前記画像表示装置で表示可能な全階調数より少ない複数の階調の各々について、各階調に対応する測色用画像を前記画像表示装置に表示させたときの表示輝度を測定し、当該表示輝度の測定値と各階調に対応する表示輝度の目標値との差に基づいて前記画像表示装置のキャリブレーションを行うキャリブレーション手段と、
前記画像表示装置で表示可能な全階調のうちから、前記取得手段により取得された情報に基づいて、前記キャリブレーション手段が表示輝度の測定を行う一又は複数の階調を選択する選択手段と、
を備え、
前記キャリブレーション手段は、前記選択手段により選択される一又は複数の階調の少なくともいずれかの階調において、その階調に対応する測色用画像を前記画像表示装置に表示させたときの表示輝度の測定値とその階調に対応する表示輝度の目標値との差が閾値以上である場合に、前記画像表示装置のキャリブレーションを実行することを特徴とするキャリブレーション装置。
【請求項２】
前記取得手段は、前記画像表示装置に入力された複数の画像データの階調毎の累計頻度の情報を取得し、
前記選択手段は、前記累計頻度が高い順に選択される所定数の階調を少なくとも含む複数の階調を選択する請求項１に記載のキャリブレーション装置。
【請求項３】
前記累計頻度は、前記画像表示装置に画像データが入力された時期に応じた重み付け係数を用いて求められる請求項２に記載のキャリブレーション装置。
【請求項４】
前記キャリブレーション手段は、表示輝度の測定を行わない階調について、表示輝度の測定を行った階調についてのキャリブレーションの結果に基づく補間によりキャリブレーションを行う請求項１〜３のいずれか１項に記載のキャリブレーション装置。
【請求項５】
前記取得手段は、前記画像表示装置に入力されている画像データの階調毎の頻度の情報を取得し、
前記選択手段は、前記頻度が所定値以上の階調を選択することを特徴とする請求項１に記載のキャリブレーション装置。
【請求項６】
画像表示装置のキャリブレーションを行うキャリブレーション装置の制御方法であって、
前記画像表示装置に入力されている画像データの階調に関する情報を取得する取得工程と、
前記画像表示装置で表示可能な全階調数より少ない複数の階調の各々について、各階調に対応する測色用画像を前記画像表示装置に表示させたときの表示輝度を測定し、当該表示輝度の測定値と各階調に対応する表示輝度の目標値との差に基づいて前記画像表示装置のキャリブレーションを行うキャリブレーション工程と、
前記画像表示装置で表示可能な全階調のうちから、前記取得工程により取得された情報に基づいて、前記キャリブレーション工程が表示輝度の測定を行う一又は複数の階調を選択する選択工程と、
を備え、
前記キャリブレーション工程では、前記選択工程により選択される一又は複数の階調の少なくともいずれかの階調において、その階調に対応する測色用画像を前記画像表示装置に表示させたときの表示輝度の測定値とその階調に対応する表示輝度の目標値との差が閾値以上である場合に、前記画像表示装置のキャリブレーションを実行することを特徴とするキャリブレーション装置の制御方法。
【請求項７】
画像表示装置と、前記画像表示装置のキャリブレーションを行うキャリブレーション装置と、からなる画像表示システムであって、
前記画像表示装置は、
入力されている画像データの階調に関する情報を記憶する記憶手段と、
入力される画像データに対し画像処理を行う画像処理手段と、
前記画像処理手段により画像処理が行われた画像データに基づく画像を表示する表示手段と、
前記キャリブレーション装置から前記画像処理のキャリブレーションを行うためのデータを取得する取得手段と、
前記取得手段により取得されるデータを用いて前記画像処理のキャリブレーションを行うキャリブレーション手段と、
を備え、
前記キャリブレーション装置は、
前記画像表示装置から前記階調に関する情報を取得する取得手段と、
前記画像表示装置で表示可能な全階調数より少ない複数の階調の各々について、各階調に対応する測色用画像を前記画像表示装置に表示させたときの表示輝度を測定し、当該表示輝度の測定値と各階調に対応する表示輝度の目標値との差に基づいて前記画像処理のキャリブレーションを行うためのデータを生成する生成手段と、
前記生成手段が生成した前記データを前記画像表示装置に送信する送信手段と、
前記画像表示装置で表示可能な全階調のうちから、前記取得手段により取得された情報に基づいて、前記キャリブレーションにおいて表示輝度の測定を行う一又は複数の階調を選択する選択手段と、を備え、
前記キャリブレーション手段は、前記選択手段により選択される一又は複数の階調の少なくともいずれかの階調において、その階調に対応する測色用画像を前記画像表示装置に表示させたときの表示輝度の測定値とその階調に対応する表示輝度の目標値との差が閾値以上である場合に、前記画像処理のキャリブレーションを実行することを特徴とする画像表示システム。
【請求項８】
入力されている画像データの階調に関する情報を記憶する記憶手段と、
入力される画像データに対し画像処理を行う画像処理手段と、
前記画像処理手段により画像処理が行われた画像データに基づく画像を表示する表示手段と、
前記表示手段で表示可能な全階調数より少ない複数の階調の各々について、各階調に対応する測色用画像を前記表示手段に表示させたときの表示輝度を測定し、当該表示輝度の測定値と各階調に対応する表示輝度の目標値との差に基づいて前記画像処理手段のキャリブレーションを行うキャリブレーション手段と、
前記表示手段で表示可能な全階調のうちから、前記記憶手段に記憶される階調に関する情報に基づいて、前記キャリブレーション手段が表示輝度の測定を行う一又は複数の階調を選択する選択手段と、を備え、
前記キャリブレーション手段は、前記選択手段により選択される一又は複数の階調の少なくともいずれかの階調において、その階調に対応する測色用画像を画像表示装置に表示させたときの表示輝度の測定値とその階調に対応する表示輝度の目標値との差が閾値以上である場合に、前記画像表示装置のキャリブレーションを実行することを特徴とする画像表示装置。
【発明の詳細な説明】
【技術分野】
【０００１】
本発明は、キャリブレーション装置、その制御方法、画像表示装置、及び画像表示システムに関するものである。
【背景技術】
【０００２】
近年、Ｘ線診断装置やマンモグラフィ等の医療用診断装置で撮影された診断画像を画像表示装置に表示して読影する等、画像表示装置の階調再現性に対する要求が高まっている。画像表示装置では、ＬＵＴ（Ｌｏｏｋ−Ｕｐ  Ｔａｂｌｅ）を用いて入力階調から出力階調へ変換する画像処理が行われる。
【０００３】
画像表示装置は経時変化によるバックライトの輝度変化等により表示特性が変化する。表示特性の変化を抑制するためにキャリブレーションを行うことが有効である。キャリブレーションでは、画像表示装置に特定の階調のパッチ画像（測色用画像）を表示し、測色器により画像表示装置の発する光を測色し、目標値との比較結果を画像表示装置にフィードバックして画像処理を変更する。これにより画像表示装置に経時変化があっても表示特性を一定に維持することができる。
【０００４】
キャリブレーションでは特定の階調（信号レベル）のパッチ画像を表示し、その階調の目標輝度値と測色器で得た実際の輝度値の差を小さくするようにＬＵＴのその階調に対応する値を変更する。しかし、全ての信号レベルに対して測色していたのでは時間がかかりすぎる。これに対し、測色する信号レベル（以下、測色ポイントともいう）の数を絞り、測色しない信号レベルに対しては測色した信号レベルの測定値を元に補間してＬＵＴを作成することによりキャリブレーション時間を短縮することができる。
【０００５】
測色ポイントの選択方法として、例えば、測色ポイント数を高輝度部より低輝度部に多く配分する方法（例えば特許文献１参照）や、人間の視覚特性の良い階調部分に多く配分する方法（例えば特許文献２参照）がある。
【先行技術文献】
【特許文献】
【０００６】
【特許文献１】特開２００８−１６８０４４号公報
【特許文献２】特開平１１−２６２０３３号公報
【発明の概要】
【発明が解決しようとする課題】
【０００７】
しかしながら、測色ポイント数を絞ることは、キャリブレーションに要する時間を短縮できる効果があるのに対して、キャリブレーションの精度が低下するという問題がある。
【０００８】
また、ユーザが画像表示装置の利用時に表示させる画像が人間の視覚特性の良い階調ばかりを含んでいるとは限らない。従って、上記従来技術のように人間の視覚特性の良い階調を多く測色するキャリブレーション方法では、ユーザが実際に画像表示装置に表示させる画像の特徴に適した表示特性になっていない場合もあり得る。
【０００９】
そこで本発明は、キャリブレーションに要する時間が長くなることを抑制しつつ、ユーザが実際に画像表示装置に表示させる画像の特徴に合わせて精度良くキャリブレーションすることを可能にする技術を提供することを目的とする。
【課題を解決するための手段】
【００１０】
本発明は、画像表示装置のキャリブレーションを行うキャリブレーション装置であって、
前記画像表示装置に入力されている画像データの階調に関する情報を取得する取得手段と、
前記画像表示装置で表示可能な全階調数より少ない複数の階調の各々について、各階調に対応する測色用画像を前記画像表示装置に表示させたときの表示輝度を測定し、当該表示輝度の測定値と各階調に対応する表示輝度の目標値との差に基づいて前記画像表示装置のキャリブレーションを行うキャリブレーション手段と、
前記画像表示装置で表示可能な全階調のうちから、前記取得手段により取得された情報に基づいて、前記キャリブレーション手段が表示輝度の測定を行う一又は複数の階調を選
択する選択手段と、を備え、
前記キャリブレーション手段は、前記選択手段により選択される一又は複数の階調の少なくともいずれかの階調において、その階調に対応する測色用画像を前記画像表示装置に表示させたときの表示輝度の測定値とその階調に対応する表示輝度の目標値との差が閾値以上である場合に、前記画像表示装置のキャリブレーションを実行することを特徴とするキャリブレーション装置である。
【００１１】
本発明は、画像表示装置のキャリブレーションを行うキャリブレーション装置の制御方法であって、
前記画像表示装置に入力されている画像データの階調に関する情報を取得する取得工程と、
前記画像表示装置で表示可能な全階調数より少ない複数の階調の各々について、各階調に対応する測色用画像を前記画像表示装置に表示させたときの表示輝度を測定し、当該表示輝度の測定値と各階調に対応する表示輝度の目標値との差に基づいて前記画像表示装置のキャリブレーションを行うキャリブレーション工程と、
前記画像表示装置で表示可能な全階調のうちから、前記取得工程により取得された情報に基づいて、前記キャリブレーション工程が表示輝度の測定を行う一又は複数の階調を選択する選択工程と、
を備え、
前記キャリブレーション工程では、前記選択工程により選択される一又は複数の階調の少なくともいずれかの階調において、その階調に対応する測色用画像を前記画像表示装置に表示させたときの表示輝度の測定値とその階調に対応する表示輝度の目標値との差が閾値以上である場合に、前記画像表示装置のキャリブレーションを実行することを特徴とするキャリブレーション装置の制御方法である。
【００１２】
本発明は、画像表示装置と、前記画像表示装置のキャリブレーションを行うキャリブレーション装置と、からなる画像表示システムであって、
前記画像表示装置は、
入力されている画像データの階調に関する情報を記憶する記憶手段と、
入力される画像データに対し画像処理を行う画像処理手段と、
前記画像処理手段により画像処理が行われた画像データに基づく画像を表示する表示手段と、
前記キャリブレーション装置から前記画像処理のキャリブレーションを行うためのデータを取得する取得手段と、
前記取得手段により取得されるデータを用いて前記画像処理のキャリブレーションを行うキャリブレーション手段と、
を備え、
前記キャリブレーション装置は、
前記画像表示装置から前記階調に関する情報を取得する取得手段と、
前記画像表示装置で表示可能な全階調数より少ない複数の階調の各々について、各階調に対応する測色用画像を前記画像表示装置に表示させたときの表示輝度を測定し、当該表示輝度の測定値と各階調に対応する表示輝度の目標値との差に基づいて前記画像処理のキャリブレーションを行うためのデータを生成する生成手段と、
前記生成手段が生成した前記データを前記画像表示装置に送信する送信手段と、
前記画像表示装置で表示可能な全階調のうちから、前記取得手段により取得された情報に基づいて、前記キャリブレーションにおいて表示輝度の測定を行う一又は複数の階調を選択する選択手段と、を備え、
前記キャリブレーション手段は、前記選択手段により選択される一又は複数の階調の少なくともいずれかの階調において、その階調に対応する測色用画像を前記画像表示装置に表示させたときの表示輝度の測定値とその階調に対応する表示輝度の目標値との差が閾値以上である場合に、前記画像処理のキャリブレーションを実行することを特徴とする画像表示システムである。
【００１３】
本発明は、入力されている画像データの階調に関する情報を記憶する記憶手段と、
入力される画像データに対し画像処理を行う画像処理手段と、
前記画像処理手段により画像処理が行われた画像データに基づく画像を表示する表示手段と、
前記表示手段で表示可能な全階調数より少ない複数の階調の各々について、各階調に対応する測色用画像を前記表示手段に表示させたときの表示輝度を測定し、当該表示輝度の測定値と各階調に対応する表示輝度の目標値との差に基づいて前記画像処理手段のキャリブレーションを行うキャリブレーション手段と、
前記表示手段で表示可能な全階調のうちから、前記記憶手段に記憶される階調に関する情報に基づいて、前記キャリブレーション手段が表示輝度の測定を行う一又は複数の階調を選択する選択手段と、を備え、
前記キャリブレーション手段は、前記選択手段により選択される一又は複数の階調の少なくともいずれかの階調において、その階調に対応する測色用画像を画像表示装置に表示させたときの表示輝度の測定値とその階調に対応する表示輝度の目標値との差が閾値以上である場合に、前記画像表示装置のキャリブレーションを実行することを特徴とする画像表示装置である。
【発明の効果】
【００１４】
本発明によれば、キャリブレーションに要する時間が長くなることを抑制しつつ、ユーザが実際に画像表示装置に表示させる画像の特徴に合わせて精度良くキャリブレーションすることが可能となる。
【図面の簡単な説明】
【００１５】
【図１】実施例１に係るキャリブレーションシステムの概略構成図
【図２】実施例１に係るキャリブレーションシステムの機能ブロック図
【図３】実施例１の通常動作のフローチャート
【図４】累計信号レベルの一例を示す図
【図５】実施例１のキャリブレーション処理のフローチャート
【図６】実施例１において選択した測色ポイントの一例を示す表
【図７】実施例２に係るキャリブレーションシステムの概略構成図
【図８】実施例２に係る画像表示装置の機能ブロック図
【図９】実施例２のキャリブレーション精度確認処理のフローチャート
【発明を実施するための形態】
【００１６】
（実施例１）
以下、図面を参照して本発明の実施例を説明する。ただし、以下で説明する実施例は本発明の範囲をそれらのみに限定する主旨のものではなく、本発明の範囲内で種々の実施の形態が可能である。
図１は本実施例に係る画像表示システムの概略構成図である。図１でＰＣ（Ｐｅｒｓｏｎａｌ  Ｃｏｍｐｕｔｅｒ）１００は一般的な汎用のＰＣである。ＰＣ１００はＵＳＢ（Ｕｎｉｖｅｒｓａｌ  Ｓｅｒｉａｌ  Ｂｕｓ）ケーブル７０１を通じて測色器３００と接続されている。測色器３００はセンサ部を画像表示装置の表示画面の測色したい部分に押し当てることにより表示画面から発せられる光の色度及び輝度を測定できる測定器である。画像表示装置２００においてパッチ画像（測色用画像）６０１の表示された部分を測色することにより、パッチ画像６０１の表示輝度及び表示色度を得ることができる。なお、図１は測色器３００を画像表示装置２００に取り付けた状態を図示したもので、ユーザが
鑑賞や編集等のために画像表示装置２００に所望の画像を表示させる通常使用時においては、測色器３００は取り外すことができる。ＰＣ１００の画像データはＤＰ（Ｄｉｓｐｌａｙ  Ｐｏｒｔ）ケーブル７０３を通じて画像表示装置２００に入力される。ここでは、ＰＣ１００は１０ｂｉｔ深度の画像データを出力することができ、ＤＰケーブル７０３は１０ｂｉｔの画像データを通信することができ、画像表示装置２００は１０ｂｉｔの画像データの入力、画像処理、及び表示が可能であるとする。つまり、本実施例のシステムはシステム全体として１０ｂｉｔ深度の画像データに対応している。また、ＰＣ１００と画像表示装置２００はＵＳＢケーブル７０２で接続されており、コマンドの送受信が可能となっている。なお、画像データやコマンドの通信に用いる規格は上記の例に限らない。
【００１７】
図２は本実施例に係る画像表示システムの機能ブロック図である。ＰＣ１００の画像出力部１０５から出力された画像データは画像表示装置２００の画像入力部２０４に入力され、画像処理部２０５で画像処理を施され、画像処理後の画像データに基づく画像が画像表示部２０６で表示される。画像処理部２０５は入力が１０ｂｉｔのＬＵＴを保持しており、入力された画像データに対してＬＵＴを適用した画像データを出力する。本実施例では、画像処理部２０５はＲＧＢ共通のＬＵＴを１つ保持している場合を例に説明するが、ＲＧＢ毎に異なるＬＵＴを保持し、各色独立にキャリブレーションを行うシステムにも本発明は適用できる。
【００１８】
まず、画像表示装置２００の通常使用時の動作を図３のフローチャートに沿って説明する。通常使用時とは、ユーザが所望の画像データを表示するよう画像表示装置２００に指示し、画像表示装置２００が当該画像データを表示する場合であって、ＰＣ１００がキャリブレーションを行っていない場合である。本フローチャートは画像データが入力された状態で、画像表示の垂直同期信号に同期したタイミングで開始される。
【００１９】
Ｓ１０１において、信号レベル頻度計測部２０３は、入力された画像データの全画素からＲ，Ｇ，Ｂ毎にヒストグラム（０〜１０２３の階調毎（信号レベル毎）の頻度分布（画素数の分布））を取得する。
【００２０】
Ｓ１０２において、信号レベル頻度計測部２０３は、現在の表示モードの累計信号レベル頻度の情報を記憶部２０２から読み出し、Ｓ１０１において計測したヒストグラムを累計信号レベル頻度に加算し、記憶部２０２に保存する。表示モードとは、ユーザが選択可能な表示画質の設定である。本実施例では、テキスト表示に適するＴｅｘｔモード、医用画像の表示に適するＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）モード、ユーザが調整可能なＣｕｓｔｏｍモード等があるものとする。信号レベル頻度計測部２０３は、Ｒ，Ｇ，Ｂそれぞれのヒストグラムを信号レベル毎に合計して、累計信号レベル頻度に加算する。このようにして算出した累計信号レベル頻度の一例を図４に示す。図４では、０〜１０２３それぞれの信号レベルの累計出現頻度を表示モード毎に、百分率で表している。例えば、Ｔｅｘｔモードでは、信号レベル０の累計出現頻度は１．３％、信号レベル１の累計出現頻度は０．２％、・・・、信号レベル１０２３の累計出現頻度は１．４％である。信号レベル頻度計測部２０３が計測した表示モード毎の累計信号レベル頻度は、画像表示装置２００が現在までに表示した複数の画像データの履歴を反映している。すなわち、ユーザが画像表示装置２００に表示させる頻度の高い画像のヒストグラムの特徴を反映している。
【００２１】
なお、本実施例では、入力される画像データの全画素からヒストグラムを計測する例を示したが、例えばＰＣ１００から通知された特定領域に含まれる画素のみからヒストグラムを計測してもよい。
また、本実施例では画像表示の垂直同期信号に同期してヒストグラムを計測する例を示したが、例えば、処理の負荷を考慮して計測頻度を落としても良い。例えば、所定時間毎
（例えば１秒毎）に１回ヒストグラムの計測を行っても良いし、入力される画像データが静止画像データの場合は画像データが切り替わるタイミングでヒストグラムの計測を行ってもよい。
【００２２】
また、本実施例では現在入力されている画像データから計測されたヒストグラムを単純にこれまでの累計信号レベル頻度に加算して新たな累計信号レベル頻度を算出する例を示した。しかし、入力された時期が現在に近いほど、画像データから計測されたヒストグラムの累計信号レベル頻度への寄与率が高くなるように、重み付け加算をして累計信号レベル頻度を算出しても良い。例えば、Ｓ１０２においてＳ１０１で取得したヒストグラムを記憶部２０２から読み出した累計信号レベル頻度に加算する際に、読み出した累計信号レベル頻度に１未満の重み付け係数を乗算してから取得したヒストグラムを加算する。
このようにして、画像表示装置２００は、通常使用時に入力される画像データの信号レベルの累計頻度を計測する。
【００２３】
次に、キャリブレーション時のＰＣ１００及び画像表示装置２００動作を図５のフローチャートに沿って説明する。本実施例では、画像表示装置２００が表示可能な全階調数（０〜１０２３の全信号レベル）について測色を行わず、それより少ない一部の信号レベルについて測色を行う。そして、測色を行わない信号レベルについては、測色を行った一部の信号レベルの測色結果に基づき、補間によりキャリブレーションを行う。
【００２４】
ユーザはＰＣ１００の記憶部１０２にインストールされたキャリブレーション用プログラムを不図示の操作入力部（マウスやキーボード等）を操作して起動する。ユーザは、前記キャリブレーション用プログラムに対してキャリブレーション目標の黒輝度、白輝度、γカーブの形状等の情報を入力した後、測色器３００を図１のように画像表示装置２００の中央に取り付ける。なお、取り付け位置は、キャリブレーション時にパッチ画像が表示される位置に合わせて決まる。また、γカーブの形状としてはγ値１．８、γ値２．２、ＤＩＣＯＭ  ＧＳＤＦ（Ｇｒａｙｓｃａｌｅ  Ｓｔａｎｄａｒｄ  Ｄｉｓｐｌａｙ  Ｆｕｎｃｔｉｏｎ）等が設定可能であるとする。ユーザは前記キャリブレーション用プログラムに対してキャリブレーション開始を指示する。キャリブレーションが開始されると、キャリブレーション開始指示がＰＣ１００から画像表示装置２００に通知され、画像表示装置２００は通常動作モードからキャリブレーションモードへ移行する。キャリブレーションモードでは、画像表示装置２００は、図３で説明した入力画像データの累計信号レベル頻度の計測処理を行わない。
【００２５】
図５（Ａ）のＳ２０１において、制御部２０１は１０ｂｉｔの各入力信号レベル０〜１０２３に対して出力すべき目標輝度値を算出する。信号レベルｎに対応する目標輝度値は以下の式で算出する。
目標輝度値＝白輝度×（ｎ÷１０２３）γ＋黒輝度
【００２６】
次に、Ｓ２０２において、測色ポイント（測色を行う信号レベル）の選択が行われる。測色ポイントの選択処理について、図５（Ｂ）のフローチャートに基づき説明する。
【００２７】
図５（Ｂ）のＳ３０１において、パッチ選択部１０３は画像表示装置２００に対して累計信号レベル頻度の情報送信を要求し、これに応じて画像表示装置２００は記憶部２０２に記憶されている累計信号レベル頻度の情報をＰＣ１００に送信する。これによりパッチ選択部１０３は画像表示装置２００に現在までに入力された画像データの階調の頻度分布の履歴に関する情報を取得する履歴取得を行う。
【００２８】
Ｓ３０２において、パッチ選択部１０３は、測色ポイント間の信号レベルが大きく離れないように測色ポイントを選択する。パッチ選択部１０３は、例えば、０、１０２３、及び、０〜１０２３の間の６３個の１６の倍数（１６，３２，４８，・・・、１００８）の全６５個の信号レベルを測色ポイントとして選択する。ここで測色ポイント間の信号レベルが大きく離れすぎないように測色ポイントを選択するのは、測色しない信号レベルについて行われる補間処理の精度上げるためである。
【００２９】
Ｓ３０３において、パッチ選択部１０３は、Ｓ３０２で決定した測色ポイント以外の測色ポイントを選択する。具体的には、パッチ選択部１０３は、Ｓ３０１で読み込んだ累計信号レベル頻度に基づき、頻度の高い順に６３ポイントの信号レベルを測色ポイントとして選択する。
【００３０】
このようにして、Ｓ３０２で選択された６５ポイント及びＳ３０３で選択された６３ポイントの計１２８ポイントの信号レベルが測色ポイントとして決定される。決定された測色ポイントの一例を図６に示す。図６において、順位の欄が符号Ａの信号レベルはＳ３０２で測色ポイントとして選択された信号レベルを示す。また、順位の欄が数値の信号レベルはＳ３０３で測色ポイントとして選択された信号レベルであり、その数値は累計信号レベル頻度におけるその信号レベルの頻度の順位を示す。
【００３１】
以上の処理により、画像表示装置２００が表示可能な全階調のうちから、ユーザの表示頻度の高い画像データのヒストグラムの特徴に合わせて所定数の測色ポイントが選択され、その測色ポイントの測色結果に基づきキャリブレーションを行うことが可能となる。
なお、上記のフローのＳ３０３では累計信号レベル頻度の高い順に測色を行う信号レベルを選択する例を示したが、累計信号レベル頻度の順に加えて、人間の視覚特性を考慮して測色を行う信号レベルを選択するようにしてもよい。具体的には、各信号レベルに対する目標輝度値をＪＮＤ（Ｊｕｓｔ  Ｎｏｔｉｃｅａｂｌｅ  Ｄｉｓｔａｎｃｅ）  Ｉｎｄｅｘに変換し、白輝度のＪＮＤ  Ｉｎｄｅｘと黒輝度のＪＮＤ  Ｉｎｄｅｘの間を均等に６４分割する。分割された各区間内において累計信号レベル頻度の高い２点を測色ポイントとする。このようにして、１２８点の測色ポイントが決定する。
【００３２】
以上のようにして測色ポイント群が選択されると、選択した測色ポイントの各々についてキャリブレーション（測色及びＬＵＴの補正）が行われる。以下、詳述する。
【００３３】
まず、Ｓ２０３において、画像作成部１０４は、キャリブレーション対象の測色ポイント（信号レベルｎとする）に応じたパッチ画像データを生成し、画像出力部１０５から画像表示装置２００に対して出力する。このパッチ画像は、信号レベルｎに応じた画像が画面の中央の所定領域（図１の符号６０１で示す領域）に描画されるような画像である。画像表示装置２００は入力された画像データに画像処理部２０５で画像処理を施して画像表示部２０６に表示する。
【００３４】
Ｓ２０４において、測色器制御部１０７は測色器３００を制御して画像表示装置２００の画面に表示されたパッチ画像６０１の色度及び輝度を取得する。
【００３５】
Ｓ２０５において、制御部１０１はＳ２０１で算出した信号レベルｎに対応する輝度の目標値とＳ２０４で測色器３００から取得した測定値を比較し、目標値と測定値との差が閾値以上であるか判断する。ここで閾値は目標値に対する相違を人間観察者が認識できないような輝度の差に基づき設定されるもので、予め記憶部１０２に保持されている。輝度の目標値と測定値の差が閾値以上である場合、Ｓ２０６において、ＬＵＴ作成部１０６は、測定値が目標値に近づくように信号レベルｎに対応するＬＵＴの値を補正し、補正後のＬＵＴの情報を画像表示装置２００に送信する。補正後のＬＵＴは、画像表示装置２００
が画像処理部２０５による画像処理のキャリブレーションを行うためのデータとしてＬＵＴ作成部１０６により生成され、ＰＣ１００から画像表示装置２００へ送信される。画像処理部２０５は、画像処理部２０５で用いるＬＵＴを、ＰＣ１００から受信したＬＵＴにより更新し、以降、この新しいＬＵＴを使って画像処理を行うようにする。その後、処理はＳ２０４に戻り、ＰＣ１００は再び同じ信号レベルｎに対応するパッチ画像を画像表示装置２００に表示させて測色する。これらの処理は、測定値と目標値との差が閾値より小さくなるまで行われる。
【００３６】
Ｓ２０５において、測定値と目標値の差が閾値より小さくなったと判断されると、Ｓ２０７において、制御部１０１はＳ２０２で選択した全ての測色ポイントについてキャリブレーション（測色及びＬＵＴの補正）し終えたか否かを確認する。全ての測色ポイントについてキャリブレーションが完了していなければ、処理はＳ２０３に戻り、キャリブレーション未実行の測色ポイントについて上述したキャリブレーションを実行する。全ての測色ポイントについてキャリブレーションが完了した場合、処理はＳ２０８に進む。Ｓ２０８において、ＬＵＴ作成部１０６は測色ポイント以外の信号レベルのＬＵＴの値を、Ｓ２０７までのキャリブレーション処理で求めた測色ポイントのＬＵＴの値に基づき補間して算出し、画像表示装置２００に送信する。ここでは、ＬＵＴ作成部１０６は、測色ポイントに対応するＬＵＴの値に基づく線形補間により測色ポイント以外の信号レベルのＬＵＴの値を算出する。なお、目標のγカーブの形状に合わせた曲線による補間を行ってもよい。画像処理部２０５は、画像処理部２０５で用いるＬＵＴを、ＰＣ１００から受信したＬＵＴにより更新し（記憶部２０２に保存する）、以降、この新しいＬＵＴを使って画像処理を行うようにする。
【００３７】
以上で画像表示装置２００のキャリブレーション処理は終了し、通常動作に移行する。
本実施例のキャリブレーション方法によれば、ユーザが画像表示装置に表示させた画像の履歴に基づき、ユーザがよく表示させる画像のヒストグラムの傾向に合わせて、測色を行う階調が選択され、キャリブレーションが行われる。これにより、測色ポイント数の増加を抑えながら、ユーザよく表示させる画像の特徴に似た特徴を有する画像を高い階調再現性で表示することができるように画像表示装置をキャリブレーションすることができるようになる。
【００３８】
（実施例２）
次に本発明の第２の実施例を説明する。本実施例の説明は、実施例１との相違点を中心に行う。
図７は本実施例に係るキャリブレーションシステムの概略構成図である。図７で前面センサ５５０は外付けの測色器３００と同様、画像表示装置５００に表示されるパッチ画像６０２の輝度及び色度を測定する測色器である。前面センサ５５０は画像表示装置５００の構成要素であり、測定値の情報を直接画像表示装置５００へ送信するよう構成されている。ＰＣ４００と画像表示装置５００はＤＰケーブル７０４で接続され、ＰＣ４００から画像表示装置５００へＤＰケーブル７０４を介して画像データが送信される。
【００３９】
図８は図７の画像表示装置５００の機能ブロック図である。基本的な画像表示のフローは、実施例１の画像表示装置２００と同様で、ＰＣ４００から画像入力部５０５に入力された画像データに画像処理部５０７で画像処理を適用し、処理後の画像データを画像表示部５０９に出力して画面に表示する。
【００４０】
図９は本実施例での画像処理精度チェック処理を示すフローチャートである。本フローチャートはＰＣ４００で動作する画像表示プログラム（ビューア）が表示画像を切り替えたことを画像表示装置５００に通知したタイミングで開始される。本フローチャートの処理が終了する前に再度、表示画像が切り替わった場合は、途中で本フローチャートの処理
が終了し、再度フローチャートの処理が開始される。
【００４１】
Ｓ５０１において、信号レベル頻度計測部５０３は現在入力されている画像データのヒストグラムを取得することにより統計量取得を行う。
【００４２】
Ｓ５０２において、パッチ選択部５０４は取得したヒストグラムから、頻度が所定値以上の信号レベルを確認ポイントとして抽出し選択する。以降、選択した確認ポイントの各々について、頻度が高い順に、測色及び測色結果に基づくキャリブレーション要否判定を行い、必要に応じてキャリブレーションを実行する。以下、詳述する。
【００４３】
まず、Ｓ５０３において、パッチ描画部５０６は、Ｓ５０２で選択した確認ポイント（信号レベルｎとする）に対応するパッチ画像データを生成し、画像表示部５０９へ出力する。このパッチ画像は、信号レベルｎに応じた画像が前面センサ５５０の直下の所定の表示領域（図７の符号６０２で示す領域）に描画されるような画像である。
【００４４】
Ｓ５０４において、測色部５１０は前面センサ５５０を制御してパッチ画像を測色する。
【００４５】
Ｓ５０５において、制御部５０１はＳ５０４の測色により得られた輝度の測定値とキャリブレーション時の当該信号レベルｎに対応する度の目標値との差が閾値以上であるかを判定する。ここで閾値は目標値に対する相違を人間観察者が認識できないような輝度の差に基づき設定されるもので、予め記憶部５０２に保持されている。輝度の目標値と測定値の差が閾値以上である場合、キャリブレーションを実行する必要があると判断され、Ｓ５０７において、ＰＣ４００はキャリブレーションを開始する。この際、キャリブレーションが必要な旨の警告を表示することによりユーザに通知するようにしても良い。輝度の目標値と測定値の差が閾値より小さい場合、キャリブレーションを実行する必要はないと判断され、処理はＳ５０６に進む。
【００４６】
Ｓ５０６では、Ｓ５０２で選択された確認ポイントの全てについてキャリブレーションの実行要否の判断がなされたか否かを確認する。全ての確認ポイントについてキャリブレーションの実行要否の判断がなされた場合、本フローチャートの処理は終了する。全ての確認ポイントについてキャリブレーションの実行要否の判断がなされていない場合、処理はＳ５０３に戻り、未だキャリブレーションの実行要否の判断が行われていない確認ポイントにつき上述したＳ５０３〜Ｓ５０５の処理を繰り返す。
【００４７】
このように、ヒストグラムの頻度の高い信号レベルに関して目標輝度と測定値との差が監視され、輝度の測定値と目標値との差が閾値以上である信号レベルがあれば、再度キャリブレーションが実行される。そのため、画像表示装置５００の階調再現性が良好に維持される。
【００４８】
なお、Ｓ５０７で実行されるキャリブレーション処理の内容は実施例１と基本的に同じであるが、Ｓ２０２の測色ポイントの選択において、累計信号レベル頻度の代わりに現在の表示画像のヒストグラムに基づいて測色ポイントを選択しても良い。
なお、上記実施例１におけるＰＣ１００の機能や、実施例２におけるＰＣ４００の機能を、画像表示装置自体が備えていても良い。すなわち、画像表示装置自体が、入力される画像データのヒストグラムの累計頻度を記憶し、頻度の高い方から順に選択される所定数の階調を含むように測色ポイントを決定する。そして、各測色ポイントについての測色結果と目標値との比較に基づき自身の画像処理のＬＵＴをキャリブレーションするような機能を有する画像表示装置も、本発明の範囲に含まれる。
【符号の説明】
【００４９】
１００  ＰＣ、１０３  パッチ選択部、１０６  ＬＵＴ作成部、２００  画像表示装置、３００  測色器
【図１】
0005939765.tif 000002
【図２】
0005939765.tif 000003
【図３】
0005939765.tif 000004
【図４】
0005939765.tif 000005
【図５】
0005939765.tif 000006
【図６】
0005939765.tif 000007
【図７】
0005939765.tif 000008
【図８】
0005939765.tif 000009
【図９】
0005939765.tif 000010